(57)【特許請求の範囲】
【請求項１】
クレジットカードの利用履歴を示す利用履歴情報を記憶する利用履歴情報記憶手段と、
前記利用履歴情報記憶手段に記憶された利用履歴情報に基づいて、クレジットカードの利用者が参加する抽選において当該利用者に対して適用される当選確率を決定する当選確率決定手段と
を備え、
前記当選確率決定手段が、抽選に参加する利用者のうちの一の利用者に対して適用される当選確率を、当該一の利用者のクレジットカードの利用履歴と、抽選に参加する利用者のうちの他の利用者のクレジットカードの利用履歴とに応じて決定し、
前記一の利用者が将来クレジットカードにより所定の金額を利用した場合における当該一の利用者に適用される当選確率を、当該所定の金額と、当該一の利用者のクレジットカードの利用履歴と、前記他の利用者のクレジットカードの利用履歴とに応じて予測する当選確率予測手段と、
前記当選確率予測手段によって予測された当選確率を、前記抽選に参加するか否かを判断するための参考情報として前記一の利用者側の端末装置に対して送信する参考情報送信手段と
を更に備える、当選確率決定装置。
【請求項２】
前記当選確率決定手段が、前記一の利用者に対して適用される当選確率を、前記他の利用者がクレジットカードを利用するほどその値が低くなるように決定する、請求項１に記載の当選確率決定装置。
【請求項３】
前記当選確率決定手段が、前記一の利用者に対して適用される当選確率を、当該一の利用者がクレジットカードを利用するほどその値が高くなるように決定する、請求項１又は２に記載の当選確率決定装置。
【請求項４】
前記当選確率決定手段が、前記一の利用者が前記抽選に参加してから前記抽選が実行されるまでの間の当該一の利用者のクレジットカードの利用履歴に応じて、当該一の利用者に対して適用される当選確率を決定する、請求項１乃至３の何れかに記載の当選確率決定装置。
【請求項５】
前記当選確率決定手段が、前記他の利用者が前記抽選に参加してから前記抽選が実行されるまでの間の当該他の利用者のクレジットカードの利用履歴に応じて、前記一の利用者に対して適用される当選確率を決定する、請求項１乃至４の何れかに記載の当選確率決定装置。
【請求項６】
前記当選確率決定手段が、前記一の利用者に対して適用される当選確率を、前記他の利用者の数が多くなるほどその値が低くなるように決定する、請求項１乃至５の何れかに記載の当選確率決定装置。
【請求項７】
前記抽選は、当選賞品の数がなくなるまで、当該抽選に参加する利用者の所望のタイミングで実行され、
前記当選確率決定手段によって決定された前記一の利用者に対して適用される当選確率を示す当選確率情報を、当該一の利用者側の端末装置に対して送信する当選確率情報送信手段を更に備える、請求項１乃至６の何れかに記載の当選確率決定装置。
【請求項８】
前記当選確率決定手段が、前記抽選を実行した利用者を除く前記他の利用者の利用履歴に応じて、前記一の利用者に適用される当選確率を決定する、請求項７に記載の当選確率決定装置。
【請求項９】
前記当選確率決定手段が、前記一の利用者に適用される当選確率を、当選賞品の残り数が少なくなるほどその値が低くなるように決定する、請求項７又は８に記載の当選確率決定装置。
【請求項１０】
記憶部を備えるコンピュータが、
クレジットカードの利用履歴を示す利用履歴情報を前記記憶部に記憶する利用履歴情報記憶工程と、
前記記憶部に記憶された利用履歴情報に基づいて、クレジットカードの利用者が参加する抽選において当該利用者に対して適用される当選確率を決定する当選確率決定工程と
を実行し、
前記当選確率決定工程において、前記コンピュータが、抽選に参加する利用者のうちの一の利用者に対して適用される当選確率を、当該一の利用者のクレジットカードの利用履歴と、抽選に参加する利用者のうちの他の利用者のクレジットカードの利用履歴とに応じて決定し、
前記一の利用者が将来クレジットカードにより所定の金額を利用した場合における当該一の利用者に適用される当選確率を、当該所定の金額と、当該一の利用者のクレジットカードの利用履歴と、前記他の利用者のクレジットカードの利用履歴とに応じて予測する当選確率予測工程と、
前記当選確率予測工程によって予測された当選確率を、前記抽選に参加するか否かを判断するための参考情報として前記一の利用者側の端末装置に対して送信する参考情報送信工程と
を更に実行する、
当選確率決定方法。
【請求項１１】
前記当選確率決定工程において、前記コンピュータが、前記一の利用者に対して適用される当選確率を、前記他の利用者がクレジットカードを利用するほどその値が低くなるように決定する、請求項１０に記載の当選確率決定方法。
【請求項１２】
前記当選確率決定工程において、前記コンピュータが、前記一の利用者に対して適用される当選確率を、当該一の利用者がクレジットカードを利用するほどその値が高くなるように決定する、請求項１０又は１１に記載の当選確率決定方法。
【発明の詳細な説明】
【技術分野】
【０００１】
本発明は、クレジットカードの利用者が参加する抽選において当該利用者に対して適用される当選確率を決定する当選確率決定装置及び当選確率決定方法に関する。
【背景技術】
【０００２】
従来、商品・サービスの購入者を対象として、各種賞品が当選する抽選が行われている。このような抽選においては、すべての購入者に対して同一の当選確率が適用される場合が多いが、販売促進等の目的のために、購入者によって当選確率を可変にすることができるシステムも提案されている。例えば、特許文献１には、携帯電話の利用者毎に商品購入履歴を記憶しておき、その商品購入履歴に基づいて当該利用者に対して適用される当選確率を算出する抽選システムが開示されている。この抽選システムによれば、商品を購入すればするほどその購入を行った利用者に対して適用される当選確率を高くすることが可能となるため、販売促進の効果を高めることができる。
【先行技術文献】
【特許文献】
【０００３】
【特許文献１】特開２００５−７１３１１号公報
【発明の概要】
【発明が解決しようとする課題】
【０００４】
ところで、上記の従来の抽選システムにおいて、多くの利用者が商品の購入を行った場合、それらの利用者全員に対して適用される当選確率が高くなることになるため、それに伴って当選数が多くなる。そのため、従来の抽選システムでは、抽選の当選賞品の数が限られているような場合には、当選しているにもかかわらず当選賞品を取得できなかったり、高い当選確率を得ているにもかかわらず抽選をすることができなかったり等の事態が生じ得るため、利用者の期待利益を奪い、逆に購買意欲を喪失させるという問題がある。
【０００５】
本発明は斯かる事情に鑑みてなされたものであり、その主たる目的は、抽選の当選賞品の数に限りがあるような場合でも対応することができる、当選確率決定装置及び当選確率決定方法を提供することにある。
【課題を解決するための手段】
【０００６】
上述した課題を解決するために、本発明の一の態様の当選確率決定装置は、クレジットカードの利用履歴を示す利用履歴情報を記憶する利用履歴情報記憶手段と、前記利用履歴情報記憶手段に記憶された利用履歴情報に基づいて、クレジットカードの利用者が参加する抽選において当該利用者に対して適用される当選確率を決定する当選確率決定手段と  を備え、前記当選確率決定手段が、抽選に参加する利用者のうちの一の利用者に対して適用される当選確率を、当該一の利用者のクレジットカードの利用履歴と、抽選に参加する利用者のうちの他の利用者のクレジットカードの利用履歴とに応じて決定し、前記一の利用者が将来クレジットカードにより所定の金額を利用した場合における当該一の利用者に適用される当選確率を、当該所定の金額と、当該一の利用者のクレジットカードの利用履歴と、前記他の利用者のクレジットカードの利用履歴とに応じて予測する当選確率予測手段と、前記当選確率予測手段によって予測された当選確率を、前記抽選に参加するか否かを判断するための参考情報として前記一の利用者側の端末装置に対して送信する参考情報送信手段とを更に備えている。
【０００７】
上記態様において、前記当選確率決定手段が、前記一の利用者に対して適用される当選確率を、前記他の利用者がクレジットカードを利用するほどその値が低くなるように決定してもよい。
【０００８】
また、上記態様において、前記当選確率決定手段が、前記一の利用者に対して適用される当選確率を、当該一の利用者がクレジットカードを利用するほどその値が高くなるように決定してもよい。
【０００９】
また、上記態様において、前記当選確率決定手段が、前記一の利用者が前記抽選に参加してから前記抽選が実行されるまでの間の当該一の利用者のクレジットカードの利用履歴に応じて、当該一の利用者に対して適用される当選確率を決定してもよい。
【００１０】
また、上記態様において、前記当選確率決定手段が、前記他の利用者が前記抽選に参加してから前記抽選が実行されるまでの間の当該他の利用者のクレジットカードの利用履歴に応じて、前記一の利用者に対して適用される当選確率を決定してもよい。
【００１１】
また、上記態様において、前記当選確率決定手段が、前記一の利用者に対して適用される当選確率を、前記他の利用者の数が多くなるほどその値が低くなるように決定してもよい。
【００１２】
また、上記態様において、前記抽選は、当選賞品の数がなくなるまで、当該抽選に参加する利用者の所望のタイミングで実行され、前記当選確率決定手段によって決定された前記一の利用者に対して適用される当選確率を示す当選確率情報を、当該一の利用者側の端末装置に対して送信する当選確率情報送信手段を更に備えていてもよい。
【００１３】
また、上記態様において、前記当選確率決定手段が、前記抽選を実行した利用者を除く前記他の利用者の利用履歴に応じて、前記一の利用者に適用される当選確率を決定してもよい。
【００１４】
また、上記態様において、前記当選確率決定手段が、前記一の利用者に適用される当選確率を、当選賞品の残り数が少なくなるほどその値が低くなるように決定してもよい。
【００１５】
また、本発明の一の態様の当選確率決定方法は、記憶部を備えるコンピュータが、クレジットカードの利用履歴を示す利用履歴情報を前記記憶部に記憶する利用履歴情報記憶工程と、前記記憶部に記憶された利用履歴情報に基づいて、クレジットカードの利用者が参加する抽選において当該利用者に対して適用される当選確率を決定する当選確率決定工程とを実行し、前記当選確率決定工程において、前記コンピュータが、抽選に参加する利用者のうちの一の利用者に対して適用される当選確率を、当該一の利用者のクレジットカードの利用履歴と、抽選に参加する利用者のうちの他の利用者のクレジットカードの利用履歴とに応じて決定し、前記一の利用者が将来クレジットカードにより所定の金額を利用した場合における当該一の利用者に適用される当選確率を、当該所定の金額と、当該一の利用者のクレジットカードの利用履歴と、前記他の利用者のクレジットカードの利用履歴とに応じて予測する当選確率予測工程と、前記当選確率予測工程によって予測された当選確率を、前記抽選に参加するか否かを判断するための参考情報として前記一の利用者側の端末装置に対して送信する参考情報送信工程とを更に実行する。
【００１６】
上記態様の前記当選確率決定工程において、前記コンピュータが、前記一の利用者に対して適用される当選確率を、前記他の利用者がクレジットカードを利用するほどその値が低くなるように決定するようにしてもよい。
【００１７】
また、上記態様の前記当選確率決定工程において、前記コンピュータが、前記一の利用者に対して適用される当選確率を、当該一の利用者がクレジットカードを利用するほどその値が高くなるように決定するようにしてもよい。
【発明の効果】
【００１８】
本発明に係る当選確率決定装置及び当選確率決定方法によれば、抽選の当選賞品の数が限られているような場合であっても、クレジットカードの利用履歴に応じた当選確率を得ることができる。
【図面の簡単な説明】
【００１９】
【図１】本発明の実施の形態１に係る当選確率決定装置を備える当選確率決定システムの構成を示すブロック図。
【図２】本発明の実施の形態１に係る当選確率決定装置の構成を示すブロック図。
【図３】本発明の実施の形態１に係る当選確率決定装置に設けられている会員情報データベースのレイアウトの一例を示す図。
【図４】本発明の実施の形態１に係る当選確率決定装置に設けられている抽選情報データベースのレイアウトの一例を示す図。
【図５】本発明の実施の形態１に係る当選確率決定装置が記憶している当選ポイント決定テーブルの一例を示す図。
【図６】本発明の実施の形態１に係る当選確率決定システムが備える当選確率決定装置及び端末装置によって実行される参加エントリー処理の手順を示すフローチャート。
【図７】本発明の実施の形態１に係る当選確率決定システムが備える端末装置のディスプレイ上に表示される抽選概要画面の一例を示す図。
【図８】本発明の実施の形態１に係る当選確率決定システムが備える当選確率決定装置及び端末装置によって実行される当選確率通知処理の手順を示すフローチャート。
【図９】本発明の実施の形態１に係る当選確率決定システムが備える端末装置のディスプレイ上に表示されるレシート画面の一例を示す図。
【図１０】本発明の実施の形態２に係る当選確率決定システムが備える端末装置のディスプレイ上に表示される抽選概要画面の一例を示す図。
【図１１】本発明の実施の形態２に係る当選確率決定システムが備える端末装置のディスプレイ上に表示されるレシート画面の一例を示す図。
【図１２】本発明の実施の形態３に係る当選確率決定装置の構成を示すブロック図。
【図１３】本発明の実施の形態３に係る当選確率決定装置に設けられている抽選情報データベースのレイアウトの一例を示す図。
【図１４】本発明の実施の形態３に係る当選確率決定装置が記憶している当選確率決定テーブルの一例を示す図。
【図１５】本発明の実施の形態３に係る当選確率決定装置が記憶している当選確率決定テーブルの他の例を示す図。
【発明を実施するための形態】
【００２０】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００２１】
（実施の形態１）
［当選確率決定システムの構成］
図１は、本発明の実施の形態１に係る当選確率決定装置を備える当選確率決定システムの構成を示すブロック図である。図１に示すとおり、本実施の形態の当選確率決定システムは、当選確率決定装置１と、複数の端末装置２，２，…とを備えている。当選確率決定装置１は、クレジットカード会社側に設けられたコンピュータであり、端末装置２，２，…は、当該クレジットカード会社が発行するクレジットカードの会員（以下、「カード会員」という）側に設けられた装置である。端末装置２，２，…としては、例えばパーソナルコンピュータ、携帯型電話機及びＰＤＡ（Personal Digital Assistant）等の通信機能を有する装置が用いられる。これらの当選確率決定装置１及び端末装置２，２，…は、インターネット等の通信ネットワークＮＴＷを介して通信可能に接続されている。
【００２２】
［当選確率決定装置の構成］
以下、上述した当選確率決定装置１の詳細な構成について説明する。
図２は、本発明の実施の形態１に係る当選確率決定装置１の構成を示すブロック図である。図２に示すとおり、コンピュータ（当選確率決定装置）１は、ＣＰＵ１０、ＲＯＭ１１、ＲＡＭ１２、ハードディスク１３、及び通信インタフェース（Ｉ／Ｆ）１４を備えており、これらのＣＰＵ１０、ＲＯＭ１１、ＲＡＭ１２、及び通信Ｉ／Ｆ１４は、バス１５によって接続されている。
【００２３】
ＣＰＵ１０は、ＲＡＭ１２にロードされた各種のコンピュータプログラムを実行する。これにより、コンピュータ１が本実施の形態の当選確率決定装置１として機能することになる。
【００２４】
ＲＯＭ１１は、マスクＲＯＭ、ＰＲＯＭ、ＥＰＲＯＭ（Erasable PROM）、又はＥＥＰＲＯＭ（Electrically Erasable PROM）等によって構成されており、ＣＰＵ１０にて実行されるコンピュータプログラム及びその実行の際に用いられるデータ等が記憶されている。
【００２５】
ＲＡＭ１２は、ＳＲＡＭ又はＤＲＡＭなどによって構成されている。このＲＡＭ１２は、ハードディスク１３に記憶されている各種のコンピュータプログラムの読み出し等に用いられる。また、ＣＰＵ１０が各種のコンピュータプログラムを実行するときに、ＣＰＵ１０の作業領域としても利用される。
【００２６】
ハードディスク１３には、オペレーティングシステム及びアプリケーションプログラムなど、ＣＰＵ１０に実行させるための各種のコンピュータプログラム及び当該コンピュータプログラムの実行に用いられるデータ等が予めインストールされている。また、このハードディスク１３には、カード会員に関する会員情報が格納される会員情報データベース（ＤＢ）１３Ａと、クレジットカードを利用して各種の商品・サービスを購入したカード会員を対象として行われる抽選に用いられる抽選情報が格納される抽選情報データベース（ＤＢ）１３Ｂとが設けられている。また、その抽選において各カード会員に対して適用される当選確率を決める場合の基準となる当選ポイントを決定するための当選ポイント決定テーブルＴ１が、ハードディスク１３に格納されている。これらの各データベース及びテーブルの詳細については後述する。
【００２７】
さらに、ハードディスク１３には、例えば米マイクロソフト社が製造販売するWindows（登録商標）などのマルチタスクオペレーティングシステムがインストールされている。以下の説明においては、各種のコンピュータプログラムが当該オペレーティングシステム上で動作するものとしている。
【００２８】
通信Ｉ／Ｆ１４は、通信ネットワークＮＴＷを介して当選確率決定装置１が外部の装置と通信するためのインタフェース装置である。当選確率決定装置１は、この通信Ｉ／Ｆ１４を介して、端末装置２，２，…との間で各種のデータの送受信を行う。
【００２９】
以下、ハードディスク１３に設けられている各データベース及びテーブルの詳細について説明する。
［会員情報ＤＢ１３Ａ］
図３は、本発明の実施の形態１に係る当選確率決定装置１に設けられている会員情報ＤＢ１３Ａのレイアウトの一例を示す図である。図３に示すように、会員情報ＤＢ１３Ａは、カード会員を識別するための会員ＩＤが格納される会員ＩＤフィールド１０１、カード会員によって予め定められ、ログイン処理の際に用いられるパスワードが格納されるパスワードフィールド１０２、カード会員が所有するクレジットカードを識別するためのカードＩＤが格納されるカードＩＤフィールド１０３、カード会員の連絡先となる電子メールアドレスが格納される連絡先フィールド１０４、及びカード会員が参加する抽選を識別するための抽選ＩＤが格納される抽選ＩＤフィールド１０５を有している。この会員情報ＤＢ１３Ａは、カード会員がクレジットカード会社側に対して申請した内容に基づいて形成され、また、カード会員の申請に応じてその内容が適宜更新される。また、抽選ＩＤについては、後述するように、カード会員が抽選に参加する場合に当選確率決定装置１によって格納される。
【００３０】
［抽選情報ＤＢ１３Ｂ］
図４は、本発明の実施の形態１に係る当選確率決定装置１に設けられている抽選情報ＤＢ１３Ｂのレイアウトの一例を示す図である。図４に示すように、抽選情報ＤＢ１３Ｂは、会員ＩＤが格納される会員ＩＤフィールド２０１、及び後述するようにして当選確率決定装置１により決定される当選ポイントの累積値が格納される当選ポイントフィールド２０２を有している。この抽選情報は、後述するように、カード会員が抽選に参加する場合に当選確率決定装置１によって生成される。なお、複数の抽選が存在する場合、その抽選毎に抽選情報ＤＢ１３Ｂが設けられることになる。
【００３１】
［当選ポイント決定テーブルＴ１］
図５は、本発明の実施の形態１に係る当選確率決定装置１が記憶している当選ポイント決定テーブルＴ１の一例を示す図である。図５に示すように、当選ポイント決定テーブルＴ１では、クレジットカードの利用金額と当選ポイントとが対応付けられている。具体的には、利用金額が“1,000円未満”、“1,000円以上3,000円未満”、“3,000円以上5,000円未満”、“5,000円以上10,000円未満”、“10,000円以上20,000円未満”、“20,000円以上30,000円未満”及び“30,000円以上”の７段階に分けられており、これらの段階のそれぞれに“０”、“３”、“５”、“１０”、“２０”、“３０”及び“４０”の当選ポイントが対応付けられている。勿論、これらの値は例であって、他の値であってもよく、また、利用金額がより多くの段階又は少ない段階に分けられていてもよいことは言うまでもない。
【００３２】
当選確率決定装置１は、上記の当選ポイント決定テーブルＴ１により定められ、抽選情報ＤＢ１３Ｂに格納された当選ポイントを用いて、次のようにして当選確率を算出する。まず、当選確率決定装置１は、抽選情報ＤＢ１３Ｂを参照して、算出された当選確率が適用されるカード会員（以下、「適用対象者」という）の当選ポイント及び他の抽選参加者の当選ポイントを取得する。次に、当選確率決定装置１は、以下の式１を用いて、適用対象者の当選確率を算出する。
【数１】
0005701029.tif 000002
【００３３】
上記の式１より明らかなように、本実施の形態においては、適用対象者の当選ポイントが多くなればなるほど当選確率が高くなる一方、他の抽選参加者の当選ポイントの合計が多くなればなるほど当選確率が低くなる。また、抽選参加者が増えるほど当選確率が低くなる。すなわち、本実施の形態における当選確率は、適用対象者のクレジットカードの利用履歴のみではなく、その適用対象者以外の他の抽選参加者のクレジットカードの利用履歴及び抽選参加者の数にも依存することになる。
【００３４】
［当選確率決定システムの動作］
次に、上述したように構成された実施の形態１の当選確率決定システムの動作について、フローチャート等を参照しながら説明する。なお、本実施の形態の当選確率決定システムが実行する主な処理には、（１）カード会員が抽選に参加するための参加エントリー処理、（２）カード会員に対して適用される当選確率を当該カード会員に通知するための当選確率通知処理がある。以下では、これらの各処理の詳細について説明する。
【００３５】
（１）参加エントリー処理
各カード会員は、自己のクレジットカードの利用状況を確認したり、クレジットカード会社によって提供される各種サービスを利用したりするために、端末装置２を用いて、クレジットカード会社が運用するサーバ装置に対してアクセスする。ここでは、当該サーバ装置が当選確率決定装置１であり、カード会員が操作する端末装置２が当選確率決定装置１に対してアクセスするものとして説明を続ける。
【００３６】
図６は、本発明の実施の形態１に係る当選確率決定システムが備える当選確率決定装置１及び端末装置２によって実行される参加エントリー処理の手順を示すフローチャートである。カード会員は、端末装置２を操作し、当選確率決定装置１にログインするために必要な会員ＩＤ及びパスワードを入力し、これら会員ＩＤ及びパスワードを含むログイン情報を当選確率決定装置１に対して送信するよう端末装置２に指示する。当該指示を受け付けた端末装置２は、図６に示すとおり、ログイン情報を当選確率決定装置１に対して送信する（Ｓ１０１）。
【００３７】
当選確率決定装置１は、端末装置２から送信されたログイン情報を受信した場合（Ｓ２０１）、会員情報ＤＢ１３Ａを参照し、受信したログイン情報に含まれる会員ＩＤ及びパスワードが会員情報ＤＢ１３Ａに格納されている会員ＩＤ及びパスワードと一致するか否かを判定することによってログイン認証処理を実行する（Ｓ２０２）。ここでログイン認証に失敗した場合、当選確率決定装置１は、会員ＩＤ及び／又はパスワードが異なるためにログイン認証に失敗した旨を示す情報を端末装置２に対して送信することになる。ここでは、ログイン認証に成功したものとして以下説明する。
【００３８】
次に、当選確率決定装置１は、アクセスしてきたカード会員が参加可能な抽選の内容（例えば、参加可能な期間及び当選賞品の詳細等）並びに当該抽選の参加状況（参加者の数）及び当選確率等の各種の情報を含む抽選概要情報を生成する（Ｓ２０３）。ここで、その時点における抽選の参加者の数は、抽選情報ＤＢ１３Ｂの件数により特定される。また、当選確率については、上述した式１に基づいて算出される。
【００３９】
当選確率決定装置１は、ステップＳ２０３にて抽選概要情報を生成した後、その抽選概要情報を示す抽選概要画面を含む抽選概要画面情報を端末装置２に対して送信する（Ｓ２０４）。
【００４０】
端末装置２は、当選確率決定装置１から送信された抽選概要画面情報を受信した場合（Ｓ１０２）、受信した抽選概要画面情報に含まれている抽選概要画面をディスプレイ上に表示する（Ｓ１０３）。
【００４１】
図７は、本発明の実施の形態１に係る当選確率決定システムが備える端末装置２のディスプレイ上に表示される抽選概要画面の一例を示す図である。図７に示すとおり、この抽選概要画面１００１には、カード会員の名前、抽選に参加することが可能な期間、当選賞品の内容（その賞品を示す画像を含む）、当選賞品を提供する店舗の名称及びＵＲＬ（Universal Resource Locator）、その時点における抽選参加者の数、並びに当選確率に関する参考情報が示されている。
【００４２】
抽選概要画面１００１に示される参考情報における当選確率は、ステップＳ２０３において、当選確率決定装置１により算出されたものである。図７に示す例では、カード会員が10,000円以上20,000円以下の金額をクレジットカードで決済した場合に、当該カード会員に対して適用される当選確率を上記の式１に基づいて当選確率決定装置１が算出し、その算出された当選確率である“10％”以上の当選確率が、10,000円以上の商品を購入した場合に当該カード会員に対して適用される旨が表示されている。
【００４３】
また、図７に示すように、抽選概要画面１００１は、抽選に参加する場合に押下される「参加する」ボタン１００１Ａ及び抽選に参加しない場合に押下される「参加しない」ボタン１００１Ｂを有している。カード会員は、端末装置２のディスプレイ上に表示されている抽選概要画面１００１を参照して抽選の概要を確認し、当該抽選に参加するか否かを判断して、「参加する」ボタン１００１Ａ及び「参加しない」ボタン１００１Ｂの何れかを端末装置２を用いて押下する。以下、「参加する」ボタン１００１Ａが押下されたものとして説明を続ける。
【００４４】
図６に戻り、端末装置２は、「参加する」ボタン１００１Ａの押下を検出した場合、カード会員が抽選への参加を希望していることを示す参加希望情報を当選確率決定装置１に対して送信する（Ｓ１０４）。なお、この参加希望情報には、カード会員が参加する抽選の抽選ＩＤが含まれているものとする。
【００４５】
当選確率決定装置１は、端末装置２から送信された参加希望情報を受信した場合（Ｓ２０５）、受信した参加希望情報に含まれている抽選ＩＤを、当該カード会員に係る会員情報の抽選ＩＤフィールド１０５に格納することにより会員情報ＤＢ１３Ａを更新する（Ｓ２０６）。次に、当選確率決定装置１は、当該カード会員の会員ＩＤを含む抽選情報を抽選情報ＤＢ１３Ｂに登録する（Ｓ２０７）。これにより、当該カード会員の抽選への参加が受け付けられたこととなる。
【００４６】
上記の参加エントリー処理の結果、上述したように、抽選に参加することとなったカード会員に係る抽選情報が抽選情報ＤＢ１３Ｂに登録されることになる。このようにして新たに登録された抽選情報の当選ポイントフィールド２０２には“０”が格納されている。これ以降、このカード会員がクレジットカードを利用して決済を行った場合、当選確率決定装置１は、その利用金額に応じた当選ポイントを、当選ポイント決定テーブルＴ１に基づいて取得する。そして、当選確率決定装置１は、取得した当選ポイントの値と当該抽選情報の当選ポイントフィールド２０２に格納されている値とを足し合わせ、その結果得られた値を当該当選ポイントフィールド２０２に格納する。このようにして、当該カード会員に対して与えられる当選ポイントの累積値が当選ポイントフィールド２０２に格納されることになる。
【００４７】
（２）当選確率通知処理
上記の式１にしたがって当選確率を算出した場合、各抽選参加者のクレジットカードの利用状況に応じて当選確率が変動することになる。このように変動する当選確率を、当該当選確率が適用される適用対象者に対して通知するための処理が当選確率通知処理である。当選確率の通知は、任意のタイミング（例えば、適用対象者及び／又は他の抽選参加者がクレジットカードを利用する都度等）で行うことが可能であるが、以下の当選確率通知処理では、抽選に参加しているカード会員がクレジットカードを利用して決済を行った時に当該カード会員に対して当選確率を通知する例が示されている。
【００４８】
図８は、本発明の実施の形態１に係る当選確率決定システムが備える当選確率決定装置１及び端末装置２によって実行される当選確率通知処理の手順を示すフローチャートである。カード会員がクレジットカードを利用して決済を行った場合、当該決済に係るレシートが発行される。この場合に、そのカード会員が抽選に参加しているとき（すなわち、会員情報の抽選ＩＤフィールド１０５に抽選ＩＤが格納されているとき）、当選確率決定装置１は、購入された商品・サービスの名称及び購入金額を含むレシート情報を生成する（Ｓ３０１）。次に、当選確率決定装置１は、抽選情報ＤＢ１３Ｂを参照して当該カード会員及び他の抽選参加者の当選ポイントを取得した後、上記の式１を用いて、この時点における当該カード会員に適用される当選確率を算出する（Ｓ３０２）。
【００４９】
次に、当選確率決定装置１は、ステップＳ３０１にて生成したレシート情報と、ステップＳ３０２にて算出した当選確率とを含むレシート画面を生成し（Ｓ３０３）、そのレシート画面にアクセスするためのＵＲＬが示された電子メールを送信する（Ｓ３０４）。この場合、当選確率決定装置１は、会員情報ＤＢ１３Ａの連絡先フィールド１０４に格納されている当該カード会員用の電子メールアドレスを用いる。
【００５０】
端末装置２は、当選確率決定装置１から送信された電子メールを受信した場合（Ｓ４０１）、受信した電子メールをディスプレイ上に表示する。ここで、カード会員が、電子メールで示されているＵＲＬに対するアクセスを端末装置２に指示した場合、端末装置２は、レシート画面を要求するためのレシート画面要求情報を当選確率決定装置１に対して送信する（Ｓ４０２）。
【００５１】
当選確率決定装置１は、端末装置２から送信されたレシート画面要求情報を受信した場合（Ｓ３０５）、ステップＳ３０３にて生成したレシート画面を含むレシート画面情報を端末装置２に対して送信する（Ｓ３０６）。
【００５２】
端末装置２は、当選確率決定装置１から送信されたレシート画面情報を受信した場合（Ｓ４０３）、受信したレシート画面情報に含まれているレシート画面をディスプレイ上に表示する（Ｓ４０４）。
【００５３】
図９は、本発明の実施の形態１に係る当選確率決定システムが備える端末装置２のディスプレイ上に表示されるレシート画面の一例を示す図である。図９に示すとおり、このレシート画面２００１には、購入された商品・サービスの名称及び購入金額、並びにステップＳ３０２にて算出した当選確率が示されている。カード会員は、このレシート画面２００１を参照することにより、その時点における当選確率を確認することができる。
【００５４】
抽選に参加してから当該抽選の参加可能期間が終了するまでの間、上記の当選確率通知処理が実行される。そして、この抽選の参加可能期間が終了した時点で、各抽選参加者の当選確率が確定することになる。その後、このようにして確定した当選確率に基づいた抽選が当選確率決定装置１又は他の装置によって実行され、その抽選の結果が各抽選参加者に対して通知される。
【００５５】
なお、カード会員が実店舗においてクレジットカードを利用した場合に、その店舗に設けられている店舗端末が上記のレシート画面と同様の内容を紙媒体に印刷し、これを当該カード会員に渡すようにしてもよい。この場合、当選確率決定装置１が、上記のレシート画面情報と同様の情報を、専用線ネットワーク等を介して店舗端末に対して送信するようにすればよい。
【００５６】
上述したとおり、本実施の形態においては、抽選参加者がクレジットカードを利用した場合に当該抽選参加者に適用される当選確率が高くなり、また、他の抽選参加者がクレジットカードを利用した場合には当該当選確率が低くなる。さらに、他の抽選参加者の数が増えた場合も当該当選確率は低くなる。そのため、各抽選参加者の当選確率は上がる一方ではなく下がることもあるので、当選賞品の数が限られているような場合で、かつ抽選の参加可能期間が終了した時点で各抽選参加者の当選確率が確定し、確定した当選確率に基づいた抽選が実行されるような場合等にも対応することができる。
【００５７】
また、上記のように当選確率が上下両方向に変動する場合、不確定性が増すことになるため、抽選参加者にゲーム感覚を与えることが可能になる。そのため、ゲーム参加者が互いに得点を競う如く、抽選参加者が互いに当選確率を競うことも起こり得るため、抽選参加者の購買意欲をより一層促進させることが期待できる。
【００５８】
（実施の形態２）
実施の形態１では、上述したとおり、すべての抽選参加者に対する抽選が同時に行われるが、抽選参加者のそれぞれが所望のタイミングで抽選を行うことも考えられる。この場合において、当選賞品の数が決まっているときは、当選がある度に当選賞品の数が少なくなるため、当選賞品の残り数に応じて当選確率を変動させる必要がある。実施の形態２の当選確率決定システムは、このように抽選参加者のそれぞれが所望のタイミングで抽選を行うことができるものであり、実施の形態１における当選ポイントに加え、当選賞品の残り数に応じて当選確率を変動させる。なお、実施の形態２の当選確率決定装置及び端末装置の構成は実施の形態１の場合と同様であるため説明を省略し、以下では図１及び図２を適宜参照しながらその動作について説明する。
【００５９】
本実施の形態の当選確率決定装置１は、ハードディスク１３に当選賞品の残り数を記憶しており、その当選賞品の残り数と抽選情報ＤＢ１３Ｂに格納された当選ポイントとを用いて、次の式２により当選確率を算出する。
【数２】
0005701029.tif 000003
【００６０】
上記の式２より明らかなように、本実施の形態においては、当選賞品の残り数が多いほど当選確率が高くなり、当選賞品の残り数が少ないほど当選確率が低くなる。すなわち、本実施の形態における当選確率は、適用対象者及びその適用対象者以外の他の抽選参加者のクレジットカードの利用状況に加えて、当選賞品の残り数にも依存することになる。
【００６１】
（１）参加エントリー処理
本実施の形態においても、実施の形態１の場合と同様の参加エントリー処理を実行するが、上述したステップＳ２０３にて生成される抽選概要情報の内容、及び上記の式１ではなく式２を用いて当選確率を算出する点が実施の形態１の場合とは異なっている。すなわち、本実施の形態の当選確率決定装置１は、ステップＳ２０３において、アクセスしてきたカード会員が参加可能な抽選の内容、当該抽選の参加状況、上記の式２を用いて算出された当選確率、及び当選賞品の残り数を含む抽選概要情報を生成する。そして、当選確率決定装置１は、その生成した抽選概要情報を示す抽選概要画面を含む抽選概要画面情報を端末装置２に対して送信し（Ｓ２０４）、端末装置２は、その抽選概要画面情報を受信した場合（Ｓ１０２）、受信した抽選概要画面情報に含まれている抽選概要画面をディスプレイ上に表示する（Ｓ１０３）。
【００６２】
図１０は、本発明の実施の形態２に係る当選確率決定システムが備える端末装置２のディスプレイ上に表示される抽選概要画面の一例を示す図である。図１０に示すとおり、この抽選概要画面３００１には、カード会員の名前、抽選に参加することが可能な期間、当選賞品の内容（その賞品を示す画像を含む）、当選賞品を提供する店舗の名称及びＵＲＬ、その時点における抽選参加者の数及び当選賞品の残り数、並びに当選確率に関する参考情報が示されている。
【００６３】
カード会員は、端末装置２のディスプレイ上に表示されている抽選概要画面３００１を参照して抽選の概要を確認し、その時点における当選賞品の残り数及び当選確率等を参考にしてこの抽選に参加するか否かを判断し、「参加する」ボタン１００１Ａ及び「参加しない」ボタン１００１Ｂの何れかを端末装置２を用いて押下する。参加エントリー処理におけるこれ以降の処理については実施の形態１の場合と同様であるので説明を省略する。
【００６４】
（２）当選確率通知処理
本実施の形態においても、実施の形態１の場合と同様の当選確率通知処理を実行するが、上述したステップＳ３０１にて生成されるレシート情報の内容、及び上記の式１ではなく式２を用いて当選確率を算出する点が実施の形態１の場合とは異なっている。すなわち、本実施の形態の当選確率決定装置１は、ステップＳ３０１において、購入された商品・サービスの名称及び購入金額、並びに当選賞品の残り数を含むレシート情報を生成する。次に、当選確率決定装置１は、上記の式２を用いて、この時点における当該カード会員に適用される当選確率を算出し（Ｓ３０２）、その算出した当選確率と、ステップＳ３０１にて生成したレシート情報とを含むレシート画面を生成する（Ｓ３０３）。当選確率通知処理におけるこれ以降の処理については実施の形態１の場合と同様であるので説明を省略する。
【００６５】
図１１は、本発明の実施の形態２に係る当選確率決定システムが備える端末装置２のディスプレイ上に表示されるレシート画面の一例を示す図である。図１１に示すとおり、このレシート画面４００１には、購入された商品・サービスの名称及び購入金額、ステップＳ３０２にて算出した当選確率、並びに当選賞品の残り数が示されている。また、このレシート画面４００１は、抽選を実行する場合に押下される「ＹＥＳ」ボタン４００１Ａ及び抽選を実行しない場合に押下される「ＮＯ」ボタン４００１Ｂを有している。
【００６６】
カード会員は、端末装置２のディスプレイ上に表示されているレシート画面４００１を参照することにより、その時点において自己に適用される当選確率及び当選賞品の残り数等を確認することができる。そして、カード会員は、確認した当選確率等に基づいて抽選を行うか否かを判断し、「ＹＥＳ」ボタン４００１Ａ及び「ＮＯ」ボタン４００１Ｂの何れかを端末装置２を用いて押下する。ここで「ＹＥＳ」ボタン４００１Ａが押下された場合、レシート画面４００１に表示されている当選確率に基づいた抽選が、当選確率決定装置１又は他の装置によって行われ、その抽選の結果が当該カード会員に対して通知される。
【００６７】
上記のように抽選が実行された場合、当選確率決定装置１は、当該カード会員に係る抽選情報を抽選情報ＤＢ１３Ｂから削除する。これにより、このカード会員のこれまでのクレジットカードの利用履歴は、次に他の抽選参加者に適用される当選確率を算出するときには考慮されなくなる。また、抽選を行った結果、当選となった場合、当選確率決定装置１は、当選賞品の残り数を１減らす。これにより、他の抽選参加者に適用される当選確率が、この抽選前の値よりも低くなる。このようにして、抽選の結果が、次に算出される当選確率に反映されることになる。
【００６８】
上述したとおり、本実施の形態においては、当選賞品の残り数に基づいて当選確率が算出される。これにより、抽選参加者のそれぞれが所望のタイミングで抽選を行うことが可能になる。
【００６９】
（実施の形態３）
上述したように、実施の形態１及び２の当選確率決定装置１は、所定の式を用いて当選確率を算出する。これに対し、実施の形態３の当選確率決定装置は、所定のテーブルを用いて当選確率を決定する。
【００７０】
［当選確率決定装置の構成］
図１２は、本発明の実施の形態３に係る当選確率決定装置の構成を示すブロック図である。図１２に示すとおり、本実施の形態の当選確率決定装置３は、実施の形態１の当選確率決定装置１と同様にハードディスク１３を備えている。このハードディスク１３には、実施の形態１の場合と同様の構成の会員情報ＤＢ１３Ａと、実施の形態１の場合とは異なる構成の抽選情報ＤＢ１３Ｃとが設けられている。また、このハードディスク１３には、実施の形態１における当選ポイント決定テーブルＴ１の代わりに、当選確率決定テーブルＴ２が格納されている。なお、当選確率決定装置３のその他の構成については、実施の形態１の場合と同様であるので、同一符号を付して説明を省略する。以下、抽選情報ＤＢ１３Ｃ及び当選確率決定テーブルＴ２の詳細について説明する。
【００７１】
［抽選情報ＤＢ１３Ｃ］
図１３は、本発明の実施の形態３に係る当選確率決定装置３に設けられている抽選情報ＤＢ１３Ｃのレイアウトの一例を示す図である。図１３に示すように、抽選情報ＤＢ１３Ｃは、会員ＩＤが格納される会員ＩＤフィールド３０１、及びカード会員のクレジットカードの利用金額の累積値が格納される利用金額フィールド３０２を有している。実施の形態１の場合と同様に、カード会員が抽選に参加することになった場合に当該カード会員の抽選情報が抽選情報ＤＢ１３Ｃに登録される。
【００７２】
［当選確率決定テーブルＴ２］
図１４は、本発明の実施の形態３に係る当選確率決定装置３が記憶している当選確率決定テーブルＴ２の一例を示す図である。図１４に示すように、当選確率決定テーブルＴ２では、クレジットカードの利用金額と当選確率とが対応付けられている。具体的には、利用金額が“他の抽選参加者の１／２以下”、“他の抽選参加者と同程度”、“他の抽選参加者の２倍程度”及び“他の抽選参加者の４倍以上”の４段階に分けられており、これらの段階のそれぞれに“５％”、“１０％”、“２０％”及び“４０％”の当選確率が対応付けられている。
【００７３】
［当選確率決定システムの動作］
上述したように構成された実施の形態３の当選確率決定装置３を備える当選確率決定システムは、実施の形態１の場合と同様の参加エントリー処理及び当選確率通知処理を実行する。但し、これらの参加エントリー処理及び当選確率通知処理において、当選確率決定装置３は、当選確率決定テーブルＴ２を用いて、各抽選参加者に適用される当選確率を決定する。この当選確率の決定は次のようにして行われる。
【００７４】
まず、当選確率決定装置３は、抽選情報ＤＢ１３Ｃを参照して他の抽選参加者のクレジットカードの利用金額を取得し、それらの利用金額の平均値を算出する。次に、当選確率決定装置３は、算出した平均値と、新たに抽選に参加するカード会員のクレジットカードの利用金額とを比較し、当該利用金額が何れの段階に属するかを決定する。そして、当選確率決定装置３は、当該利用金額が属する段階と対応付けられている当選確率を特定し、この当選確率を当該カード会員に適用される当選確率とする。このように、本実施の形態では、当選確率決定テーブルＴ２を用いることにより、各抽選参加者のクレジットカードの利用履歴に応じた当選確率を決定することができる。
【００７５】
なお、当選確率決定テーブルＴ２の内容を変更することにより、実施の形態２の場合のように、当選賞品の残り数をも考慮して当選確率を決定することも可能である。図１５は、本発明の実施の形態３に係る当選確率決定装置３が記憶している当選確率決定テーブルの他の例を示す図である。図１５に示すように、この当選確率決定テーブルＴ３においては、クレジットカードの利用金額の各段階のそれぞれに、“０．５％×当選賞品の残り数”、“０．１％×当選賞品の残り数”、“０．２％×当選賞品の残り数”及び“０．４％×当選賞品の残り数”の当選確率が対応付けられている。この当選確率決定テーブルＴ３を用いることにより、当選確率決定装置３は、当選賞品の残り数に基づいて当選確率を決定することになる。これにより、実施の形態２の場合と同様に、抽選参加者のそれぞれが所望のタイミングで抽選を行うことが可能になる。
【００７６】
上述したとおり、本実施の形態では、当選確率決定テーブルＴ２及びＴ３において、クレジットカードの利用金額と当選確率とが対応付けられているが、この利用金額に代わり又は利用金額と共に、クレジットカードの利用回数と当選確率とが対応付けられていてもよい。これにより、クレジットカードの利用回数が多いカード会員に対して高い当選確率を与えることが可能になる。
【００７７】
（その他の実施の形態）
上記の各実施の形態では、抽選に参加してからその抽選が実行されるまでの間の各カード会員のクレジットカードの利用履歴に基づいて当選確率が算出されているが、抽選に参加する前の各カード会員の利用履歴を考慮するようにしてもよい。具体的には、カード会員が抽選に参加した場合、当選確率決定装置が、当該抽選に参加する前の一定期間における当該カード会員の利用履歴に応じて当選ポイントを算出し、その当選ポイントを用いて当選確率を算出することが考えられる。この場合、クレジットカードを多く利用する優良なカード会員に対して高い当選確率を与えることができる。
【００７８】
また、上記の各実施の形態における当選確率通知処理では、通知時点における当選確率を抽選参加者に知らせているが、このときに例えば前記通知したときの当選確率と今回の当選確率との差を数値で通知したり、これまでの当選確率の変動履歴をグラフで通知したりしてもよい。この場合、通知を受けた抽選参加者は、当選確率が上昇又は下降しているのか、どの程度変動しているのか等を容易に確認することができ、購買意欲がより一層刺激されることになる。
【産業上の利用可能性】
【００７９】
本発明の当選確率決定装置及び当選確率決定方法は、クレジットカードの利用者が参加する抽選における当選確率を決定するための当選確率決定装置及び当選確率決定方法等として有用である。
【符号の説明】
【００８０】
１，３  当選確率決定装置
１０  ＣＰＵ
１１  ＲＯＭ
１２  ＲＡＭ
１３  ハードディスク
１３Ａ  会員情報データベース
１３Ｂ  抽選情報データベース
１３Ｃ  抽選情報データベース
１４  通信インタフェース
１５  バス
Ｔ１  当選ポイント決定テーブル
Ｔ２，Ｔ３  当選確率決定テーブル
２  端末装置
ＮＴＷ  通信ネットワーク
【図１】
0005701029.tif 000004
【図２】
0005701029.tif 000005
【図３】
0005701029.tif 000006
【図４】
0005701029.tif 000007
【図５】
0005701029.tif 000008
【図６】
0005701029.tif 000009
【図７】
0005701029.tif 000010
【図８】
0005701029.tif 000011
【図９】
0005701029.tif 000012
【図１０】
0005701029.tif 000013
【図１１】
0005701029.tif 000014
【図１２】
0005701029.tif 000015
【図１３】
0005701029.tif 000016
【図１４】
0005701029.tif 000017
【図１５】
0005701029.tif 000018